(57)【要約】【課題】  ウエスト周りがすっきりとしたデザインであり、着用感が良好でウエストのサイズ調整が可能な衣服を提供する。【解決手段】  生地を筒状にして内側に挿通空間１４が設けられ挿通空間１４が身体周りに位置するベルト部１２と、ベルト部１２に設けられ挿通空間１４に開口する引出口１８を有する。引出口１８に対向して、挿通空間１４の内側から生地に取り付けられた釦布２２と、釦布２２に縫い付けられた釦３０を備える。ベルト部１２の挿通空間に挿通され、釦布２２と引出口１８の間を通過する釦穴付ゴム３４を備える。釦３０は、引出口１８の開口から少なくとも一部が露出する位置に設けられ、釦穴付ゴム３４の釦穴３６に釦３０をかけて係止可能とし、釦３０は釦穴付ゴム３４に張力が掛かるとその張力に引かれて挿通空間１４内に入り、引出口１８から隠れる。【選択図】図１
2007046192.tif 000002
【特許請求の範囲】
【請求項１】
生地を筒状にして内側に挿通空間が設けられ前記挿通空間が身体周りに位置するベルト部と、前記ベルト部に設けられ前記挿通空間に開口する引出口と、前記引出口に対向して前記挿通空間内側から前記生地に取り付けられた釦布と、前記釦布に縫い付けられた釦と、前記ベルト部の前記挿通空間に挿通され前記釦布と前記引出口の間を通過する釦穴付ゴムが設けられ、前記釦は、前記引出口の開口から少なくとも一部が露出する位置に設けられ、前記釦穴付ゴムの釦穴に前記釦をかけて係止可能とし、前記釦は前記釦穴付ゴムに張力が掛かるとその張力に引かれて前記挿通空間に入り、前記引出口から隠れることを特徴とする衣服。
【請求項２】
前記ベルト部には、前記引出口の近傍で前記釦穴付ゴムの端部側に、所定距離はなれて前記釦穴付ゴムの端部を保持する差込部を備えたことを特徴とする請求項１記載の衣服。
【請求項３】
前記生地は伸縮性を有し、前記ベルト部の前記引出口と前記差込部を含む範囲に、伸縮性を抑える芯シートが設けられていることを特徴とする請求項２記載の衣服。
【請求項４】
前記引出口は、着用者の腹部の左右に一対設けられ、前記釦穴付ゴムは一方の引出口から身体後ろ側を回って他方の引出口に達し、前記釦穴付ゴムの一対の端部は、前記引出口の身体前側中心に向かう方向に、前記挿通空間に収容されていることを特徴とする請求項１記載の衣服。
【発明の詳細な説明】
【技術分野】
【０００１】
この発明は、ウエスト等のサイズを調整可能な衣服に関する。
【背景技術】
【０００２】
従来、伸縮性を有するフライス生地でできたスポーツ用や室内用のズボンには、ウエスト部分に平ゴムが挿通され、身体を一周しているものがある。このようなズボンは着脱が容易であり、またある程度ウエストサイズが異なる着用者にも対応することができる。
【０００３】
このようなズボンは、ウエストサイズがフリーであり、ウエストが太い人から細い人までをカバーするために、下がらないようにある程度細い人を対象に平ゴムを短くしてウエストに密着させている。従って、ウエスト部の生地には皺がよっているものである。さらにウエストが細い人は、引出口から平ゴムを引き出して結ぶなどして短くして着用していた。しかし、平ゴムを短くすると引出口付近の生地にしわが多くなり、外観が良くないことがあった。また、平ゴムの結び目がじゃまになっていた。
【０００４】
また、ウエスト部分に平ゴムと共に紐体を挿通し、紐体の結び位置をウエストのサイズに合わせてサイズ調整する方法がある。しかし、この方法は平ゴムの他に紐体が必要であり、紐体を結ぶ作業が面倒であった。
【０００５】
また、平ゴムの長さを調整するために平ゴムの中心線に沿って釦穴が等間隔に設けられた釦穴付ゴムがあった。これは、ウエスト部の引出口近傍に釦を取り付け、釦穴付ゴムを引出口から任意の長さに引き出して釦の近傍に位置する釦穴に釦をかけ、任意の位置に係止するものである。釦穴付ゴムを利用した衣服として、特許文献1に開示されているズボンがある。これは、ウエスト部に設けたゴム通し部の複数個所にゴム引出穴を設け、任意のゴム引出穴からウエストサイズに合わせてゴムを引き出し、この引き出されたゴムを２つ折りしてゴム引出穴に最も近接する位置の釦穴を対向させ、両側の挟持板部を中芯部で連結した形状の釦を用い、該釦の両側挟持板部を対向する釦穴に通して留めて、ウエストサイズを調節するものである。
【特許文献１】特開２００４−１６２２０２号公報
【発明の開示】
【発明が解決しようとする課題】
【０００６】
上記従来の技術の場合、ゴム引出穴から引き出された釦穴付ゴムは、二つ折りにされてウエストの身体側に重ねられるため、その部分の厚みが増し、着用感が良好ではなかった。また、釦穴付ゴムを二つ折りして係止する釦の挟持板部が、身体側に露出しているため、身体に接触して違和感があり快適ではなかった。
【０００７】
この発明は、上記従来の技術の問題点に鑑みてなされたものであり、ウエスト周りがすっきりとしたデザインであり、着用感が良好でウエストのサイズ調整が可能な衣服を提供することを目的とする。
【課題を解決するための手段】
【０００８】
本発明は、生地を筒状にして内側に挿通空間が設けられ前記挿通空間が身体周りに位置するベルト部と、前記ベルト部に設けられ前記挿通空間に開口する引出口と、前記引出口に対向して前記挿通空間内側から前記生地に取り付けられた釦布と、前記釦布に縫い付けられた釦と、前記ベルト部の前記挿通空間に挿通され前記釦布と前記引出口の間を端部付近が通過する釦穴付ゴムが設けられた衣服である。前記ボタン穴付ゴムは、帯状のゴムに所定間隔でボタン穴が付いたものやボタン穴の付いた布を平ゴムで繋いで帯状にしたものを含むものである。そして、前記釦は、前記引出口の開口から少なくとも一部が露出する位置に設けられ、前記釦穴付ゴムの釦穴に前記釦をかけて係止可能とし、前記釦は前記釦穴付ゴムに張力が掛かるとその張力に引かれて前記挿通空間に入り、前記引出口から隠れる。
【０００９】
また、前記ベルト部には、前記引出口の近傍で前記釦穴付ゴムの端部側に、所定距離はなれて、前記挿通空間に開口する差込口や前記ボタン穴付ゴムを挿通するベルト通し等の差込部を備え、前記釦穴付ゴムの端部が前記差込部に差し込まれて保持される。
【００１０】
前記生地は伸縮性を有し、前記ベルト部の前記引出口と前記差込部を含む範囲に、伸縮性を抑える芯シートが設けられている。また、前記釦布にも、伸縮性を抑える芯シートが設けられているまた、前記釦穴付ゴムの端部は、アールをつけた突状にカットされている。
【００１１】
前記引出口は、着用者の腹部の左右に１個ずつ設けられ、前記差込口は前記引出口の身体前側に設けられ、前記釦穴付ゴムは一方の引出口から身体後ろ側を回って他方の引出口に達し、前記釦穴付ゴムの一対の端部は、前記引出口の身体前側中心に向かう方向に、前記挿通空間に収容されている。
【発明の効果】
【００１２】
本発明の衣服は、ウエスト周りがすっきりとしたデザインであり、皺が集中せず、ウエストサイズ調整を簡単な操作で行うことができ、デザインに影響を与えずにウエストを細くすることができる。また、サイズ調整用の釦は生地で覆われているため、着用時に違和感がなく、快適である。
【発明を実施するための最良の形態】
【００１３】
以下、この発明の実施形態について図面に基づいて説明する。図１〜図３はこの発明の一実施形態を示すもので、この実施形態の衣服は、伸縮性を有するフライス生地で作られ下半身に着用するズボン１０である。
【００１４】
ズボン１０は、ウエスト部分にベルト部１２が設けられている。ベルト部１２は、フライス生地またはその他の伸縮性を有する生地を折り返して縫い合わされ、内側に筒状の挿通空間１４が設けられている。挿通空間１４は着用者の胴体部分を一周している。また、挿通空間１４の身体側の生地には、生地の伸縮性をなくす芯シート１６が接着されている。
【００１５】
着用者の腹部の左側、つまり図３において紙面右側には、ベルト部１２の身体側に、挿通空間１４の挿通方向に対してほぼ直角な切断線である引出口１８が設けられている。図１は引出口１８付近を身体側から見た図であり、図１に示すように引出口１８よりも少し身体の中心側に移動した位置、つまり紙面右側に、差込口２０が設けられている。差込口２０は、引出口１８に対して平行な切断線である。
【００１６】
ベルト部１２の挿通空間１４には、引出口１８と差込口２０を覆う面積を有する釦布２２が設けられている。釦布２２は、例えばベルト部１２と同じ生地で作られ、芯シート２４が取り付けられている。釦布２２は、引出口１８と差込口２０の上下端部を通過する一対の挿通方向縫い目２６でベルト部１２の身体側面に縫い付けられ、さらに引出口１８と差込口２０の間に設けられ挿通方向縫い目２６に対してほぼ直交し一対の挿通方向縫い目２６を連結する交差方向縫い目２８で縫い付けられている。つまり釦布２２の、挿通空間１４の挿通方向の両端部は、ベルト部１２とともに挿通空間１４に開口した形状に形成されている。釦布２２の、引出口１８の中心付近の位置には、釦３０が釦付け糸３２で縫い付けられている。
【００１７】
着用者の腹部の右側、つまり図３において紙面左側には、図１と左右対称形の、引出口１８、差込口２０、釦布２２、芯シート２４、釦３０が設けられている。
【００１８】
ベルト部１２の挿通空間１４には、釦穴付ゴム３４が挿通されている。釦穴付ゴム３４は平ゴムで作られた一本の帯体であり、中心線に沿って釦穴３６が等間隔に設けられている。そして釦穴付ゴム３４の、一対の端部３４ａは中心が突出する三角形の突形にヒートカットされ、先端がアールに丸められている。釦穴付ゴム３４は一方の引出口１８から身体後ろ側を回って他方の引出口１８に達している。釦穴付ゴム３４の端部３４ａは、引出口１８から一旦ベルト部１２の身体側に引き出され、次に引出口１８よりも身体中心側に位置する差込口２０に差し込み可能に形成されている。
【００１９】
各釦３０は、釦穴付ゴム３４の近傍の釦穴３６にかけられて、釦穴付ゴム３４の長さが決められている。釦穴付ゴム３４の、釦３０がかけられた釦穴３６よりも先端の端部３４ａは、差込口２０から再び挿通空間１４の中に入れられ、収容されている。
【００２０】
挿通空間１４の、釦布２２よりも外側には、平ゴム３８が設けられている。平ゴム３８は、挿通空間１４を一周して挿通され、端部同士が連結されて環状になっている。
【００２１】
次に、この実施形態のズボンの使用方法について説明する。ズボン１０は、ベルト部１２の挿通空間１４に挿通されている平ゴム３８と釦穴付ゴム３４の弾性力により、ウエスト部１２が着用者のウエストに密着し、着用される。釦３０は、引出口１８の中心付近の位置に取り付けられ、引出口１８からほぼ半分が露出するが、釦穴付ゴム３４の釦穴３６に釦３０をかけて係止し着用すると、釦３０は釦穴付ゴム３４の張力に引かれてベルト部１２の挿通空間１４に入り、引出口１８から隠れる。また、ウエストが大きくてゆるい場合は、腹部の左右に位置する差込口２０から釦穴付ゴム３４の端部３４ａを引き出し、釦３０から釦穴３６を外す。そして端部３４ａと反対側の任意の釦穴３６に釦３０をかけてサイズを小さくし、再び端部３４ａを差込口２０に入れて挿通空間１４に収容する。この操作を行うのは、左右の引き出し口１８で行っても、片方で行っても良い。逆に、ウエストが細くてきついときは、同様の手順でサイズ調整を行い、ただ端部３４a側の任意の釦穴３６に釦３０をかけてサイズを大きくする。
【００２２】
この実施形態のズボン１０によれば、簡単な操作でウエストサイズの調整が可能であり、着用者の体形にフィットさせることができる。釦３０は、引出口１８から一部が露出する位置に取り付けられているため、サイズ調整時には釦３０をつまんで釦穴付ゴム３４の釦穴３６から容易に取り外しをすることができる。そして、着用時は釦穴付ゴム３４に張力が働いて釦３０は挿通空間１４の中に引き込まれて隠れ、これにより釦３０が身体に接触することがなく、着心地が良好である。
【００２３】
釦３０は、釦布２２を介して挿通空間１４内に取り付けられているため、ベルト部１２の表面に響くことがなく、また釦３０の表面近傍に平ゴム３８を挿通することもできる。そして釦３０は腹部の左右二ヶ所に設けられているため、調整幅が２箇所に分散され、ズボン１０の形を崩さずに、サイズの変更を行うことができる。ズボン１０の外観も生地にしわが少なく、すっきりとしたものとなる。釦３０が腹部の左右に設けられていることから、ズボン１０を着用した状態でも容易にサイズ変更を行うことができる。
【００２４】
サイズ調整で余った釦穴付ゴム３４の端部３４ａは、ベルト部１２の挿通空間１４に挿通されて収容されるため、薄形ですっきりとしたものとなり、また着脱の支障とならず、着用時も違和感がない。また、一度サイズ調整すれば、変更することなく繰り返し着用することができる。釦布２２や挿通空間１２の身体側面には、芯シート１６，２４が取り付けられ、生地の伸縮を防いでいるため、一度調整したサイズが安定し、便利であり、またサイズ調整の操作も確実に行うことができる。釦穴付ゴム３４の端部３４aは、突状にヒートカットされているため、差込口２０に差し込みやすく、挿通空間１４の中を通過しやすく、なおかつほつれにくいものである。
【００２５】
なお、この発明の衣服は、上記実施の携帯に限定するものではなく、ボタン穴付ゴムは、上記実施形態のように、帯状のゴムに所定間隔でボタン穴が付いたものの他、ボタン穴の付いた布を平ゴムで繋いで帯状にしたものでも良い。さらに、ベルト部の引出口の近傍の差込口の代わりに、ボタン穴付ゴムを挿通するベルト通し等の差込部でも良く、釦穴付ゴムの端部を差し込んで保持するものであればよい。
【００２６】
また、ズボンの種類はフライス生地のスポーツ用や家庭用のズボンの他に、布帛を用いたスラックス等でもよく、またスカートでも良い。ボタン穴付ゴムが強力なものであれば、平ゴムを省略してもよい。差込口を省略して引出口にボタン穴付ゴムの端部を再び差し込んでもよい。
【図面の簡単な説明】
【００２７】
【図１】この発明の一実施形態の衣服の身体側から見た拡大正面図である。
【図２】この実施形態の衣服の縦断面図である。
【図３】この実施形態の衣服の正面図である。
【符号の説明】
【００２８】
１０  ズボン
１２  ベルト部
１４  挿通空間
１６，２４  芯シート
１８  引出口
２０  差込口
２２  釦布
３０  釦
３４  釦穴付ゴム
３６  釦穴
３８  平ゴム
【図１】
2007046192.tif 000003
【図２】
2007046192.tif 000004
【図３】
2007046192.tif 000005